(57)【要約】      （修正有）【課題】金属鋸歯を有しなくても実用上満足のできるカット性を発現し、かつその効果を収納したフィルム状物品を使い切るまで維持することができ、収納箱の取り扱い時に手を怪我する等の危険の少ない収納箱を提供する。【解決手段】巻回されたフィルム状物品を収納するための略直方体の収納箱であって、前面板５、底面板４、後面板６及び側面板３で形成され、上部が開口した略直方体の収納室と、後面板の上端縁から収納室の開口部を覆う方向に連接した開閉可能な蓋面板２と、蓋面板の前端縁から前面板を覆う方向に延出した掩蓋片１を有し、掩蓋片、前面板、及び底面板の少なくとも何れか一つの、収納箱から引き出されたフィルム状物品と接することのできる箇所の少なくとも一部に、凹凸形状７を有し、凹凸形状を有する箇所を、収納箱の長辺と平行に切断したときの断面図において、凹凸形状の歯先が３０〜１５０度の角を成す収納箱。【選択図】図１
2015113135.tif 000002
【特許請求の範囲】
【請求項１】
巻回されたフィルム状物品を収納するための略直方体の収納箱であって、
前面板、底面板、後面板及び側面板で形成され、上部が開口した略直方体の収納室と、後面板の上端縁から収納室の開口部を覆う方向に連接した開閉可能な蓋面板と、蓋面板の前端縁から前面板を覆う方向に延出した掩蓋片を有し；
（ａ１）上記掩蓋片、前面板、及び底面板の少なくとも何れか一つの、収納箱から引き出されたフィルム状物品と接することのできる箇所の少なくとも一部に、凹凸形状を有し；
（ｂ１）上記凹凸形状を有する箇所を、収納箱の長辺と平行に切断したときの断面図において、上記凹凸形状の歯先が３０〜１５０度の角を成す；
収納箱。
【請求項２】
巻回されたフィルム状物品を収納するための略直方体の収納箱であって、
前面板、底面板、後面板及び側面板で形成され、上部が開口した略直方体の収納室と、後面板の上端縁から収納室の開口部を覆う方向に連接した開閉可能な蓋面板と、蓋面板の前端縁から前面板を覆う方向に延出した掩蓋片を有し；
（ａ２）上記掩蓋片裏側の先端縁近傍の少なくとも一部に、貼付面とは反対の面の少なくとも一部に凹凸形状を有する略長方形の部材が、掩蓋片の長手方向と該部材の長手方向とが一致するように、貼付されており；
（ｂ２）上記略長方形の部材を、該部材の長辺と平行に切断したときの断面図において、上記凹凸形状の歯先が３０〜１５０度の角を成す；
収納箱。
【請求項３】
巻回されたフィルム状物品を収納するための略直方体の収納箱であって、
前面板、底面板、後面板及び側面板で形成され、上部が開口した略直方体の収納室と、後面板の上端縁から収納室の開口部を覆う方向に連接した開閉可能な蓋面板と、蓋面板の前端縁から前面板を覆う方向に延出した掩蓋片を有し；
（ａ３）上記掩蓋片表側の先端縁近傍の少なくとも一部に、掩蓋片先端縁から延出するように、貼付面側の延出部分の少なくとも一部に凹凸形状を有する略長方形の部材が、掩蓋片の長手方向と該部材の長手方向とが一致するように、貼付されており；
（ｂ３）上記略長方形の部材を、該部材の長辺と平行に切断したときの断面図において、上記凹凸形状の歯先が３０〜１５０度の角を成す；
収納箱。
【請求項４】
巻回されたフィルム状物品を収納するための略直方体の収納箱であって、
前面板、底面板、後面板及び側面板で形成され、上部が開口した略直方体の収納室と、後面板の上端縁から収納室の開口部を覆う方向に連接した開閉可能な蓋面板と、蓋面板の前端縁から前面板を覆う方向に延出した掩蓋片を有し；
（ａ４）上記掩蓋片表側の先端縁近傍の少なくとも一部に、貼付面とは反対の面の少なくとも一部に凹凸形状を有する略長方形の部材が、掩蓋片の長手方向と該部材の長手方向とが一致するように、貼付されており；
（ｂ４）上記略長方形の部材を、該部材の長辺と平行に切断したときの断面図において、上記凹凸形状の歯先が３０〜１５０度の角を成す；
収納箱。
【請求項５】
巻回されたフィルム状物品を収納するための略直方体の収納箱であって、
前面板、底面板、後面板及び側面板で形成され、上部が開口した略直方体の収納室と、後面板の上端縁から収納室の開口部を覆う方向に連接した開閉可能な蓋面板と、蓋面板の前端縁から前面板を覆う方向に延出した掩蓋片を有し；
（ａ５）前面板表側の下端縁近傍の少なくとも一部に、貼付面とは反対の面の少なくとも一部に凹凸形状を有する略長方形の部材が、前面板の長手方向と該部材の長手方向とが一致するように、貼付されており；
（ｂ５）上記略長方形の部材を、該部材の長辺と平行に切断したときの断面図において、上記凹凸形状の歯先が３０〜１５０度の角を成す；
収納箱。
【請求項６】
巻回されたフィルム状物品を収納するための略直方体の収納箱であって、
前面板、底面板、後面板及び側面板で形成され、上部が開口した略直方体の収納室と、後面板の上端縁から収納室の開口部を覆う方向に連接した開閉可能な蓋面板と、蓋面板の前端縁から前面板を覆う方向に延出した掩蓋片を有し；
（ａ６）底面板表側の前端縁近傍の少なくとも一部に、貼付面とは反対の面の少なくとも一部に凹凸形状を有する略長方形の部材が、底面板の長手方向と該部材の長手方向とが一致するように、貼付されており；
（ｂ６）上記略長方形の部材を、該部材の長辺と平行に切断したときの断面図において、上記凹凸形状の歯先が３０〜１５０度の角を成す；
収納箱。
【請求項７】
巻回されたフィルム状物品を収納するための略直方体の収納箱であって、
前面板、底面板、後面板及び側面板で形成され、上部が開口した略直方体の収納室と、後面板の上端縁から収納室の開口部を覆う方向に連接した開閉可能な蓋面板と、蓋面板の前端縁から前面板を覆う方向に延出した掩蓋片を有し；
（ａ７）底面板表側の前端縁近傍の少なくとも一部に、底面板表側前端縁から延出するように、貼付面側の延出部分の少なくとも一部に凹凸形状を有する略長方形の部材が、底面板の長手方向と該部材の長手方向とが一致するように、貼付されており；
（ｂ７）上記略長方形の部材を、該部材の長辺と平行に切断したときの断面図において、上記凹凸形状の歯先が３０〜１５０度の角を成す；
収納箱。
【発明の詳細な説明】
【技術分野】
【０００１】
本発明は、ラップフィルム、アルミホイル、キッチンペーパー、及びクッキングシートなどのフィルム状物品の巻回体を収納する箱に関する。更に詳しくは、略直方体の収納箱に納められた巻回体として提供されたラップフィルム等のフィルム状物品を、収納箱から必要分量引き出して切断する際に用いる部材として、金属製鋸歯に替わる部材を備えた収納箱に関する。
【背景技術】
【０００２】
従来から、ラップフィルム、アルミホイル、キッチンペーパー、及びクッキングシートなどのフィルム状物品は、略直方体の収納箱に納められた巻回体として提供されており、ここから必要分量を引き出し、上記収納箱本体の掩蓋片裏側先端縁近傍、掩蓋片表側先端縁近傍、前面板表側上端縁近傍、及び前面板表側下端縁近傍などの何れか一箇所に設けられた切断刃により切断して使用に供されている。切断刃としては金属製の鋸歯が多用されている。一方、金属製鋸歯には触れると手を怪我し易い、紙製の収納箱本体と金属製鋸歯とを廃棄時に分離しなくてはいけないという問題があった。この問題を解決するために、金属製鋸歯に替えて、収納箱の掩蓋片先端縁などの端部を鋸歯形状にし、これを切断刃として用いることが提案されている（例えば特許文献１〜３）。しかし、これらの技術は、収納箱の切断刃が形成されている部分及びその周辺を補強しても、切断刃の強度は不十分であり、繰り返し使用に耐えることができないという点で不満足なものである。
【先行技術文献】
【特許文献】
【０００３】
【特許文献１】実開昭５６−０２４６３０号公報
【特許文献２】特開平５−１６２７４４号公報
【特許文献３】特開２０００−０８５７５９号公報
【発明の概要】
【発明が解決しようとする課題】
【０００４】
本発明の課題は、金属鋸歯を有しなくても実用上満足のできるカット性を発現し、かつその効果を収納したフィルム状物品を使い切るまで維持することができ、収納箱の取り扱い時に手を怪我する等の危険の少ない収納箱を提供することである。
【課題を解決するための手段】
【０００５】
本発明者は、鋭意研究した結果、掩蓋片裏側先端縁近傍等の特定箇所に、特定の凹凸形状を設けることにより、収納箱から引き出されたフィルム状物品が凹凸形状に引掛かり又は噛み込まれてしっかりと固定されて切断力が確実に伝わるようになり、上記課題を達成できることを見出した。
【０００６】
すなわち、本発明は、巻回されたフィルム状物品を収納するための略直方体の収納箱であって、前面板、底面板、後面板及び側面板で形成され、上部が開口した略直方体の収納室と、後面板の上端縁から収納室の開口部を覆う方向に連接した開閉可能な蓋面板と、蓋面板の前端縁から前面板を覆う方向に延出した掩蓋片を有し；
（ａ１）上記掩蓋片、前面板、及び底面板の少なくとも何れか一つの、収納箱から引き出されたフィルム状物品と接することのできる箇所の少なくとも一部に、凹凸形状を有し；
（ｂ１）上記凹凸形状を有する箇所を、収納箱の長辺と平行に切断したときの断面図において、上記凹凸形状の歯先が３０〜１５０度の角を成す；
収納箱である。
【０００７】
第二の発明は、巻回されたフィルム状物品を収納するための略直方体の収納箱であって、前面板、底面板、後面板及び側面板で形成され、上部が開口した略直方体の収納室と、後面板の上端縁から収納室の開口部を覆う方向に連接した開閉可能な蓋面板と、蓋面板の前端縁から前面板を覆う方向に延出した掩蓋片を有し；
（ａ２）上記掩蓋片裏側の先端縁近傍の少なくとも一部に、貼付面とは反対の面の少なくとも一部に凹凸形状を有する略長方形の部材が、掩蓋片の長手方向と該部材の長手方向とが一致するように、貼付されており；
（ｂ２）上記略長方形の部材を、該部材の長辺と平行に切断したときの断面図において、上記凹凸形状の歯先が３０〜１５０度の角を成す；
収納箱である。
【０００８】
第三の発明は、巻回されたフィルム状物品を収納するための略直方体の収納箱であって、前面板、底面板、後面板及び側面板で形成され、上部が開口した略直方体の収納室と、後面板の上端縁から収納室の開口部を覆う方向に連接した開閉可能な蓋面板と、蓋面板の前端縁から前面板を覆う方向に延出した掩蓋片を有し；
（ａ３）上記掩蓋片表側の先端縁近傍の少なくとも一部に、掩蓋片先端縁から延出するように、貼付面側の延出部分の少なくとも一部に凹凸形状を有する略長方形の部材が、掩蓋片の長手方向と該部材の長手方向とが一致するように、貼付されており；
（ｂ３）上記略長方形の部材を、該部材の長辺と平行に切断したときの断面図において、上記凹凸形状の歯先が３０〜１５０度の角を成す；
収納箱である。
【０００９】
第四の発明は、巻回されたフィルム状物品を収納するための略直方体の収納箱であって、前面板、底面板、後面板及び側面板で形成され、上部が開口した略直方体の収納室と、後面板の上端縁から収納室の開口部を覆う方向に連接した開閉可能な蓋面板と、蓋面板の前端縁から前面板を覆う方向に延出した掩蓋片を有し；
（ａ４）上記掩蓋片表側の先端縁近傍の少なくとも一部に、貼付面とは反対の面の少なくとも一部に凹凸形状を有する略長方形の部材が、掩蓋片の長手方向と該部材の長手方向とが一致するように、貼付されており；
（ｂ４）上記略長方形の部材を、該部材の長辺と平行に切断したときの断面図において、上記凹凸形状の歯先が３０〜１５０度の角を成す；
収納箱である。
【００１０】
第五の発明は、巻回されたフィルム状物品を収納するための略直方体の収納箱であって、前面板、底面板、後面板及び側面板で形成され、上部が開口した略直方体の収納室と、後面板の上端縁から収納室の開口部を覆う方向に連接した開閉可能な蓋面板と、蓋面板の前端縁から前面板を覆う方向に延出した掩蓋片を有し；
（ａ５）前面板表側の下端縁近傍の少なくとも一部に、貼付面とは反対の面の少なくとも一部に凹凸形状を有する略長方形の部材が、前面板の長手方向と該部材の長手方向とが一致するように、貼付されており；
（ｂ５）上記略長方形の部材を、該部材の長辺と平行に切断したときの断面図において、上記凹凸形状の歯先が３０〜１５０度の角を成す；
収納箱である。
【００１１】
第六の発明は、巻回されたフィルム状物品を収納するための略直方体の収納箱であって、前面板、底面板、後面板及び側面板で形成され、上部が開口した略直方体の収納室と、後面板の上端縁から収納室の開口部を覆う方向に連接した開閉可能な蓋面板と、蓋面板の前端縁から前面板を覆う方向に延出した掩蓋片を有し；
（ａ６）底面板表側の前端縁近傍の少なくとも一部に、貼付面とは反対の面の少なくとも一部に凹凸形状を有する略長方形の部材が、底面板の長手方向と該部材の長手方向とが一致するように、貼付されており；
（ｂ６）上記略長方形の部材を、該部材の長辺と平行に切断したときの断面図において、上記凹凸形状の歯先が３０〜１５０度の角を成す；
収納箱である。
【００１２】
第七の発明は、巻回されたフィルム状物品を収納するための略直方体の収納箱であって、前面板、底面板、後面板及び側面板で形成され、上部が開口した略直方体の収納室と、後面板の上端縁から収納室の開口部を覆う方向に連接した開閉可能な蓋面板と、蓋面板の前端縁から前面板を覆う方向に延出した掩蓋片を有し；
（ａ７）底面板表側の前端縁近傍の少なくとも一部に、底面板表側前端縁から延出するように、貼付面側の延出部分の少なくとも一部に凹凸形状を有する略長方形の部材が、底面板の長手方向と該部材の長手方向とが一致するように、貼付されており；
（ｂ７）上記略長方形の部材を、該部材の長辺と平行に切断したときの断面図において、上記凹凸形状の歯先が３０〜１５０度の角を成す；
収納箱である。
【発明の効果】
【００１３】
本発明の収納箱は、実用上満足のできるカット性を発現し、かつその効果を収納したフィルム状物品を使い切るまで維持することができる。また金属鋸歯を有していないため、収納箱の取り扱い時に手を怪我する等の危険は低減されている。
【発明を実施するための形態】
【００１４】
本発明の収納箱を図を参照して説明する。図１は本発明の収納箱の一例を示す斜視概念図である。前面板（５）、底面板（４）、後面板（６）及び側面板（３）で形成され、上部が開口した略直方体の収納室と、後面板（６）の上端縁から収納室の開口部を覆う方向に連接した開閉可能な蓋面板（２）と、蓋面板（２）の前端縁から前面板（５）を覆う方向に延出した掩蓋片（１）を有している。
【００１５】
本発明の収納箱は、（ａ１）上記掩蓋片、前面板、及び底面板の少なくとも何れか一つの、収納箱から引き出されたフィルム状物品と接することのできる箇所の少なくとも一部に、凹凸形状を有することを特徴とする。
【００１６】
上記凹凸形状は、金属製鋸歯の替わりに、フィルム状物品の切断具としての働きをする。そのため凹凸形状は、掩蓋片、前面板、及び底面板の少なくとも何れか一つに設けられる。また設けられる箇所の少なくとも一部は、収納箱から引き出されたフィルム状物品と接することができなくてはならない。
【００１７】
上記凹凸形状を設ける好ましい箇所は、収納箱から引き出されたフィルムと接し易いところであり、例えば、掩蓋片裏側、掩蓋片表側先端縁近傍、前面板表側下端縁近傍、前面板表側上端縁近傍、及び底面板表側前端縁近傍などをあげることができる。より好ましい箇所は、フィルム状物品の引掛かり易さや噛み込まれ易さ、即ち切断し易さの観点から、掩蓋片裏側の先端縁近傍、前面板表側下端縁近傍、及び底面板表側前端縁近傍である。
【００１８】
図１に示す本発明の収納箱の例では、凹凸形状（７）を掩蓋片（１）裏側の先端縁近傍に有している。フィルム状物品を、上記収納室に収納し、蓋面板（２）を開いて、必要分量を掩蓋片（１）先端縁から延出するように引き出し、掩蓋板（２）を閉じると、フィルム状物品は掩蓋片（１）裏側先端縁近傍の凹凸形状に引掛かり又は噛み込まれてしっかりと固定されることになる。ここでフィルム状物品を幅方向にちぎるように力を加えると、フィルム状物品を切断する力として確実に伝わり、フィルム状物品は切断される。
【００１９】
図２は本発明の収納箱の他の一例を示す斜視概念図であり、凹凸形状（７）を前面板（５）表側の下端縁近傍に有している。フィルム状物品を、収納室に収納し、蓋面板（２）を開いて、必要分量を前面板（５）表側下端縁から延出するように引き出し、掩蓋板（２）を閉じ、収納箱をフィルム状物品の延出方向とは反対の方向に回転させると、フィルム状物品は前面板（５）表側下端縁の凹凸形状に引掛かり又は噛み込まれてしっかりと固定されることになる。上記動作は、収納箱を固定し、フィルム状物品を底面板表側後端縁から延出する方向に回転させるように行ってもよい。ここでフィルム状物品を幅方向にちぎるように力を加えると、フィルム状物品を切断する力として確実に伝わり、フィルム状物品は切断される。
【００２０】
凹凸形状を底面板表側前端縁近傍に有するときも、収納箱をより大きく回転させること以外は、凹凸形状を前面板表側下端縁近傍に有するときと同様である。
【００２１】
上記凹凸形状を掩蓋片裏側の先端縁近傍に設ける場合について更に説明する。凹凸形状は掩蓋片裏側先端縁近傍の、図１や図５に示すように全体に設けてもよく、図６に示すように両端に設けてもよく、一方の端に設けてもよく、中央に設けてもよい。これらの中で、フィルム状物品の切断は、通常、端部から始まることから、全体、両端、及び一方の端に設けることが好ましく、左右どちらからでも同様に切断できるように、全体及び両端がより好ましい。また両端又は一方の端に設ける場合には、端部から２ｃｍ以上、好ましくは端部から４ｃｍ以上の長さで設けると、フィルム状物品の幅方向の端部を凹凸形状により引掛け又は噛み込んでしっかりと固定し易くなり、切断し易くなる。上記凹凸形状を掩蓋片裏側の先端縁近傍以外の箇所に設ける場合についても同様である。
【００２２】
本発明の収納箱は、（ｂ１）上記凹凸形状を有する箇所を、収納箱の長辺と平行に切断したときの断面図において、上記凹凸形状の歯先が３０〜１５０度の角を成す；ことを特徴とする。
【００２３】
上記凹凸形状の歯先は、フィルム状物品を引掛け又は噛み込む働きをする。そのため歯先の角は１５０度以下であり、好ましくは１３０度以下であり、より好ましくは１００度以下である。また繰返し使用に耐える強度が求められる。そのため歯先の角は３０度以上であり、好ましくは４０度以上である。歯先の角の角度は同じであってもよく、角毎に違っていてもよい。なお歯先の角の角度は、全てが３０〜１５０度の範囲にある必要はなく、３０度未満の角や１５０度を超える角があってもよいが、全ての角が３０〜１５０度の範囲にあることが好ましい。
【００２４】
上記凹凸形状の歯先の形状は、条件（ｂ１）を満たすこと以外は制限されず、任意の形状にすることができる。例えば、歯先に１つの角部を有する三角形状であってもよく、２つの角部を有する四角形状であってもよく、３つ以上の角部をもつ多角形状であってもよく、これらの組み合わせであってもよい。また凹凸形状の凹部や歯先と歯先との間の凹部の深さは、特に制限されず任意である。凹部毎にその深さが違っていてもよい。通常は、収納箱の強度を保持する観点から、凹凸形状を設けた部分の厚みの２／３以下が好ましい。図７〜１７に歯先の形状の例を示すが、歯先の形状はこれらに限定されるものではない。なお本発明において、歯先の角が曲線を含む形状の場合の角度は、図１５〜１７に例を示すように、角の頂点における曲線の接線との角度と定義した。
【００２５】
上記凹凸形状の隣接する歯先と歯先との距離は、特にプラスチック製ラップフィルムのような柔軟性の高いフィルム状物品の場合には、ある程度密に歯先の角のある（上記距離が狭い）ことが切断性には有利であり、７．０ｍｍ以下が好ましく、５．０ｍｍ以下がより好ましく、３．０ｍｍ以下が更に好ましい。一方、歯先の角が切断に特に有効に働くのは、隣接する歯先と歯先との間にフィルム状物品が入り込み、引掛かり又は噛み込まれたときであるから、上記距離は０．５ｍｍ以上であることが好ましい。なお上記距離は、７．０ｍｍを超える箇所や０．５ｍｍ未満の箇所があってもよいが、上記範囲にあるものが多い方が好ましい。なお本発明において、隣接する歯先と歯先との距離は、他方の歯先に最も近い側の角どうしの距離と定義した。
【００２６】
上記凹凸形状を設けた箇所を概観したとき、通常は、図１８に例を示すように多数の平行に並ぶ、収納箱の長辺と直交する方向の直線状の溝であるが、これに限らず、整然と並んでいなくてもよく、収納箱の長辺と直交していなくてもよく、曲線状、波状、稲妻状、及び飛石状などであってもよい。条件（ｂ１）満たしていれば、概観には何ら制限されない。凹凸形状を設けた箇所の概観について、他の例を図１９〜２３示すが、本発明はこれらにより何ら制限されるものではない。
【００２７】
本発明の収納箱は、任意の素材を用いて作成することができる。例えば、コートボール紙などの紙素材；ポリプロピレン、ポリエチレン、ポリスチレンなどの樹脂素材；膠化繊維（バルカナイズドファイバー）又はそれにウレタン樹脂、フェノール樹脂、メラミン樹脂、エポキシ樹脂、ポリスチレン樹脂、ユリア樹脂、ポリフェニレンスルフィド樹脂などの剛性樹脂を含浸させたもの；鉄、アルミニウムなどの金属素材；などをあげることができる。
【００２８】
本発明の収納箱を、コートボール紙を用いて作成する場合について更に説明する。コートボール紙を用いて作成する場合、掩蓋片裏側の先端縁近傍等に直接凹凸形状を加工してもよいが、工業的作成し易さの観点から、少なくとも片面の少なくとも一部に凹凸形状を有する略長方形の部材を掩蓋片裏側の先端縁近傍等に貼付する実施態様が好ましい。
【００２９】
上記少なくとも片面の少なくとも一部に凹凸形状を有する略長方形の部材を貼付する実施態様の好ましい実施例は、切断し易さの観点から、掩蓋片裏側先端縁近傍、掩蓋片表側先端縁近傍、前面板表側下端縁近傍、及び底面板表側前端縁近傍の少なくとも何れか１に上記部材を設ける態様であり、
（ａ２）掩蓋片裏側の先端縁近傍の少なくとも一部に、貼付面とは反対の面の少なくとも一部に凹凸形状を有する略長方形の部材を、掩蓋片の長手方向と該部材の長手方向とが一致するように、貼付する実施態様；
（ａ３）掩蓋片表側の先端縁近傍の少なくとも一部に、掩蓋片先端縁から延出するように、貼付面側の延出部分の少なくとも一部に凹凸形状を有する略長方形の部材を、掩蓋片の長手方向と該部材の長手方向とが一致するように、貼付する実施態様（図３に一例の概念図を示す。）；
（ａ４）掩蓋片表側の先端縁近傍の少なくとも一部に、貼付面とは反対の面の少なくとも一部に凹凸形状を有する略長方形の部材を、掩蓋片の長手方向と該部材の長手方向とが一致するように、貼付する実施態様；
（ａ５）前面板表側の下端縁近傍の少なくとも一部に、貼付面とは反対の面の少なくとも一部に凹凸形状を有する略長方形の部材を、前面板の長手方向と該部材の長手方向とが一致するように、貼付する実施態様；
（ａ６）底面板表側の前端縁近傍の少なくとも一部に、貼付面とは反対の面の少なくとも一部に凹凸形状を有する略長方形の部材を、底面板の長手方向と該部材の長手方向とが一致するように、貼付する実施態様；
（ａ７）底面板表側の前端縁近傍の少なくとも一部に、底面板表側前端縁から延出するように、貼付面側の延出部分の少なくとも一部に凹凸形状を有する略長方形の部材を、底面板の長手方向と該部材の長手方向とが一致するように、貼付する実施態様（図４に一例の概念図を示す。）；
をあげることができる。
【００３０】
上記部材を掩蓋片裏側の先端縁近傍に設ける場合について更に説明する。凹凸形状を有するのが、掩蓋片裏側先端縁近傍の全体になるようにしてもよく、両端あるいは一方の端になるようにしてもよく、中央になるようにしてもよい。これらの中で、フィルム状物品の切断は端部から始まることから、全体、両端、及び一方の端に凹凸形状を有するようにすることが好ましく、左右どちらからでも同様に切断できるように、全体及び両端がより好ましい。また両端又は一方の端に凹凸形状を有するときは、端部から２ｃｍ以上、好ましくは端部から４ｃｍ以上の長さで有すると、フィルム状物品の幅方向の端部を凹凸形状により引掛け又は噛み込んでしっかりと固定し易くなり、切断し易くなる。上記部材を掩蓋片裏側の先端縁近傍以外の箇所に貼付する場合についても同様である。
【００３１】
また上記部材は掩蓋片裏側の先端縁近傍の任意の箇所に設けることができる。切断性の観点からは、掩蓋片先端縁と部材の下端縁とが一致していてもよく、部材が掩蓋片先端縁から延出していてもよく、部材の下端縁が掩蓋片先端縁よりも少し上にあってもよい。
【００３２】
上記部材を掩蓋片表側の先端縁近傍に設ける場合であって、凹凸形状を貼付面側の延出部分に有する態様（図３に一例の概念図を示す。）について更に説明する。上記延出部分の長さは、切断性の観点から、通常１ｍｍ以上、好ましくは２ｍｍ以上である。一方、切断時には部材を引き剥がそうとする力のかかることを考慮すると、延出部分の長さは、通常１０ｍｍ以下、好ましくは５ｍｍ以下であり、より好ましくは３ｍｍ以下である。また上記部材は、貼付面側の延出部分の少なくとも一部に凹凸形状を有するが、これ以外の箇所、例えば、貼付面の反対側などに凹凸形状を有していてもよい。
【００３３】
上記部材を掩蓋片表側の先端縁近傍に設ける場合であって、凹凸形状を貼付面とは反対の面に有する態様について更に説明する。部材は掩蓋片表側先端縁近傍の任意の箇所に設けることができるが、切断性の観点からは、掩蓋片先端縁と部材の下端縁とが一致、又は部材が掩蓋片先端縁から延出していることが好ましい。また切断時には部材を引き剥がそうとする力のかかることを考慮すると、耐久性については、掩蓋片先端縁と部材の下端縁とが一致、又は部材の下端縁が掩蓋片先端縁よりも少し上にあることが好ましい。
【００３４】
上記部材を前面板表側の下端縁近傍に設ける場合について更に説明する。部材は前面板表側下端縁近傍の任意の箇所に設けることができるが、切断性の観点からは、前面板下端縁と部材の下端縁とが一致、又は部材が前面板下端縁から延出していることが好ましい。またフィルム状物品が収納箱に収納された製品の、一般家庭の台所等における通常の置き方を考慮すると、前面板下端縁と部材の下端縁とが一致、又は部材の下端縁が前面板下端縁よりも少し上にあることが好ましい。
【００３５】
上記部材を底面板表側の前端縁近傍に設ける場合であって、凹凸形状を貼付面とは反対の面に有する態様について更に説明する。部材は底面板表側前端縁近傍の任意の箇所に設けることができるが、切断性の観点からは、底面板前端縁と部材の前端縁とが一致、又は部材が底面板前端縁から延出していることが好ましい。
【００３６】
上記部材を底面板表側の前端縁近傍に設ける場合であって、凹凸形状を貼付面側の延出部分に有する態様（図４に一例の概念図を示す。）について更に説明する。上記延出部分の長さは、切断性の観点から、通常１ｍｍ以上、好ましくは２ｍｍ以上である。一方、切断時には部材を引き剥がそうとする力のかかることを考慮すると、延出部分の長さは、通常１０ｍｍ以下、好ましくは５ｍｍ以下であり、より好ましくは３ｍｍ以下である。また上記部材は、貼付面側の延出部分の少なくとも一部に凹凸形状を有するが、これ以外の箇所、例えば、貼付面の反対側などに凹凸形状を有していてもよい。
【００３７】
収納箱に上記部材を貼付する方法は、制限されず、任意の方法で行うことができる。例えば、接着剤を用いる方法、治具によりかしめる方法などをあげることができる。
【００３８】
上記部材に設ける凹凸形状は、部材の長辺と平行に切断したときの断面図において、上記凹凸形状の歯先が３０〜１５０度の角を成す；こと以外は制限されず、任意であり、その具体的な実施態様は、第一の発明についての説明において上述した通りである。
【００３９】
また凹凸形状の凹部の深さは、制限されず、任意である。貼付の際に用いる接着剤により凹凸形状が埋まらないように何らかの工夫を要するという問題はあるが、凹部が部材を貫通していてもよい。通常は、部材の強度を保持する観点から、部材の厚みの２／３以下が好ましい。
【００４０】
収納箱の作成に用いるコートボール紙の坪量は、小さいと耐久性に問題が生じ易くなり、大きいとコスト高になる。従って、コートボール紙の坪量は、収納するフィルム状物品の種類、ロール尺長、ロール幅から必要となる耐久性を勘案して適宜選択される。通常は、坪量２００〜６００ｇ／ｍ２である。
【００４１】
上記少なくとも片面の少なくとも一部に凹凸形状を有する略長方形の部材は、任意の素材を用いて作成することができる。例えば、コートボール紙などの紙素材；ポリ乳酸、ポリプロピレン、ポリエチレン、ポリスチレンなどの樹脂素材；膠化繊維（バルカナイズドファイバー）又はそれにウレタン樹脂、フェノール樹脂、メラミン樹脂、エポキシ樹脂、ポリスチレン樹脂、ユリア樹脂、ポリフェニレンスルフィド樹脂などの剛性樹脂を含浸させたもの；鉄、アルミニウムなどの金属素材；などをあげることができる。
【００４２】
フィルム状物品がポリオレフィン系ラップフィルムの場合には、これらの中で、ポリ乳酸、ポリプロピレンが好ましい。
【００４３】
凹凸形状を形成する方法は、制限されず任意であり、例えば、凹凸型を押圧する方法；凹凸型に素材を流し込み、固化させる方法；任意の刃物で切削する方法；などをあげることができる。
【図面の簡単な説明】
【００４４】
【図１】本発明の収納箱の一例を示す斜視概念図である。
【図２】本発明の収納箱の他の一例を示す斜視概念図である。
【図３】本発明の収納箱の他の一例を示す斜視概念図である。
【図４】本発明の収納箱の他の一例を示す斜視概念図である。
【図５】凹凸形状を掩蓋片裏側の先端縁近傍の全体に設けた一例を示す概念図である。
【図６】凹凸形状を掩蓋片裏側の先端縁近傍の両端に設けた一例を示す概念図である。
【図７】凹凸形状の歯先の形状の一例を示す概念図である。
【図８】凹凸形状の歯先の形状の他の一例を示す概念図である。
【図９】凹凸形状の歯先の形状の他の一例を示す概念図である。
【図１０】凹凸形状の歯先の形状の他の一例を示す概念図である。
【図１１】凹凸形状の歯先の形状の他の一例を示す概念図である。
【図１２】凹凸形状の歯先の形状の他の一例を示す概念図である。
【図１３】凹凸形状の歯先の形状の他の一例を示す概念図である。
【図１４】凹凸形状の歯先の形状の他の一例を示す概念図である。
【図１５】凹凸形状の歯先の形状の他の一例を示す概念図である。
【図１６】凹凸形状の歯先の形状の他の一例を示す概念図である。
【図１７】凹凸形状の歯先の形状の他の一例を示す概念図である。
【図１８】凹凸形状を設けた箇所の概観の一例を示す概念図である。
【図１９】凹凸形状を設けた箇所の概観の他の一例を示す概念図である。
【図２０】凹凸形状を設けた箇所の概観の他の一例を示す概念図である。
【図２１】凹凸形状を設けた箇所の概観の他の一例を示す概念図である。
【図２２】凹凸形状を設けた箇所の概観の他の一例を示す概念図である。
【図２３】凹凸形状を設けた箇所の概観の他の一例を示す概念図である。
【符号の説明】
【００４５】
１：掩蓋片
２：蓋面板
３：側面板
４：底面板
５：前面板
６：後面板
７：凹凸形状
８：凹凸形状の歯先の角の角度
９：凹凸形状の隣接する歯先の角と歯先の角との距離
１０：凹部
１１：凸部
１２：収納箱の長手方向と直交する方向
１３：収納箱の長手方向
【図１】
2015113135.tif 000003
【図２】
2015113135.tif 000004
【図３】
2015113135.tif 000005
【図４】
2015113135.tif 000006
【図５】
2015113135.tif 000007
【図６】
2015113135.tif 000008
【図７】
2015113135.tif 000009
【図８】
2015113135.tif 000010
【図９】
2015113135.tif 000011
【図１０】
2015113135.tif 000012
【図１１】
2015113135.tif 000013
【図１２】
2015113135.tif 000014
【図１３】
2015113135.tif 000015
【図１４】
2015113135.tif 000016
【図１５】
2015113135.tif 000017
【図１６】
2015113135.tif 000018
【図１７】
2015113135.tif 000019
【図１８】
2015113135.tif 000020
【図１９】
2015113135.tif 000021
【図２０】
2015113135.tif 000022
【図２１】
2015113135.tif 000023
【図２２】
2015113135.tif 000024
【図２３】
2015113135.tif 000025